【事件の表示】
　昭和６３年特許願第３１６８３８号「スケジュール管理方法及びその装置」拒絶査定に対する審判事件（平成２年６月２２日出願公開、特開平２−１６２４６０）について、次のとおり審決する。
【結論】
　本件審判の請求は、成り立たない。
【理由】
１．手続の経緯、本願発明
　本願は、昭和６３年１２月１５日の出願であって、その請求項２に係る発明（以下、「本願発明」という。）は、平成１０年５月２０日付けの手続補正書によって補正された明細書及び図面の記載からみて特許請求の範囲の請求項２に記載された次のとおりのものと認められる。
「少なくとも日付情報を計数するタイマー手段と、　記憶手段に記憶されたスケジュール情報の中から所望の日付に対応したページを指定するために予め設定された操作釦と、
　前記操作釦が操作されたことを検出する検出手段と、
　前記検出手段によって、前記操作釦が操作された場合に、電源を投入するのに続けて、前記タイマー手段に基づいて前記記憶手段に記憶された対応する日付のスケジュール情報を読み出して、そのスケジュール情報を表示手段に表示する自動起動表示処理手段と
　を具備することを特徴とするスケジュール管理装置」
２．引用例記載の発明
　原査定の拒絶理由に引用した特開昭６２−１４４２６８号公報（以下、「第１の引用例」という。）には、図面の記載と共に以下の記載が認められる。
▲１▼「次に、日付や時間毎のスケジュール（予定表）を記入するスケジューラのアプリケーションモードについて説明する。電子手帳が何れの状態においても、キーボード下段のＳＣＨキーを押すことにより、このスケジューラのモードに入り、第１４図のフローチャートに示すような処理を行う。」（公報第５頁左上欄第７行〜同欄第１３行目）
▲２▼「液晶表示板１２上のスケジュール記入欄に書き込まれたその頁のデータをＲＡＭ１９に格納し、次の或は前の頁の画面を表示する。」（公報第５頁右上欄第１６行〜同欄第１９行目）
▲３▼「押されたキーがスケジュールを検索するためのＳＣＨキーである場合、ステップ５５０で、指定されたスケジュール（予定記載）があるか否かを検索し、あればそれを表示する。」（公報第５頁左下欄第２行〜同欄第６行目）
▲４▼「この電子手帳には時計が内蔵されることから、時刻日付等の管理は電子手帳のパワーオン・オフに関係なく常時、１秒毎に割込むインターバル割込ルーチン（第２３図）により実行される。」（公報第７頁右上欄第１３行〜同欄第１６行目）
▲５▼「一方、パワーオンの処理では、先ず電源をオフしていた全ての回路の電源をオンし、ステップ１１６２にて各種割込み処理の禁止を解除し、ステップ１１６３で、オートパワーオフ用カウンタをリセットする。そして、ステップ１１６４にてパワーオフ時に実行していたアプリケーションモードを判別し、前に行っていたメモ、スケジューラ、電卓等の各モードに移行し、前述したような各々のモードが再開されることになる。」（公報第８頁右下欄第６行〜同欄第１５行目）
　そこで、本願発明との対比のために上記第１の引用例に記載されている発明を本願発明と同様な表現形式で表現すると、上記第１の引用例に記載されている発明においても、ＳＣＨキーが操作されたことを検出する検出手段は当然設けられているものと認められるから、上記第１の引用例には、
　少なくとも日付情報を計数する時計による計時手段と、
　所定の回路部への動作電源を投入するための電源スイッチと、該電源スイッチにより電源が投入されると、それに続いて電源遮断時の状態を表示する手段と、
　ＲＡＭ１９に記憶されたスケジュール情報の中から所望の日付に対応したページを指定するためのＳＣＨキーと
　前記ＳＣＨキーが操作されたことを検出する検出手段と、
　前記検出手段によって、前記ＳＣＨキーが操作された場合に、前記時計による計時手段に基づいて前記ＲＡＭ１９に記憶された日付のスケジュール情報を読み出して、そのスケジュ―ル情報を表示する表示処理手段と
　を具備するスケジュール管理装置、に関する発明が記載されている。
　また、原査定の拒絶理由に引用した特開昭６３−１２９８８号公報（以下、「第２の引用例」という。）には、「現在の日付および時刻を計数する計時手段と、スケジュールデータの入力手段と、複数のスケジュールデータを記憶するデータ記憶手段とを具備するスケジュール表示装置において、複数のキースイッチを設け、この複数のキースイッチ毎にそれぞれ異なった日のスケジュールを表示する表示制御手段を有することを特徴とするスケジュール表示装置。」（特許請求の範囲の欄）と記載されており、この記載から、第２の引用例には、
　特定のキースイッチとスケジュールの日付とを対応付けておき、該特定のキースイッチが押下されると該特定のキースイッチに対応付けられた日付けのスケジュールを表示するスケジュール管理装置、に関する発明が記載されている。
　また、原査定時に引用した特開昭５５−２３５３２号公報（以下、「第３の引用例」という。）には、「前記オートパワーオフ後の動作再開に際し前記キー入力部のいずれかのキー操作により前記電源制御装置をして前記計算機内の所定回路を駆動するとともに直ちに前記キー操作に基づく演算処理を実行するようにしたことを特徴とする小型電子式計算機の電源制御方式。」（特許請求の範囲の欄）と記載されており、第３の引用例には、電源投入に際して、電源スイッチを操作しなくとも、データ入力用の複数のキースイッチの内のいずれかのキースイッチが操作された場合に、電源を自動投入するのに続けて、前記押下されたキー操作に基づく演算処理を行うように構成した電源制御装置、に関する発明が記載されている。
３　本願発明と引用例記載の発明との対比
　本願発明と第１の引用例に記載されている発明とを対比すると、第１の引用例に記載されている、「時計による計時手段」、「ＲＡＭ１９」および「ＳＣＨキー」は、本願発明の「タイマー手段」、「記憶手段」および「操作釦」にそれぞれ相当するから、両者は共に、
　少なくとも日付情報を計数するタイマー手段と、
　所定の回路部への動作電源を投入し、
　記憶手段に記憶されたスケジュール情報の中から日付に対応したページを指定するための操作釦と
　前記操作釦が操作されたことを検出する検出手段と、
　前記検出手段によって、前記操作釦が操作された場合に、前記タイマー手段に基づいて前記記憶手段に記憶された日付のスケジュール情報を読み出して、そのスケジュール情報を表示手段に表示する表示処理手段と
　を具備するスケジュール管理装置である点で一致し、以下の点で両者の発明は相違しているものと認められる。
＜相違点＞
▲１▼本願発明では、特定の操作釦を押下すると、記憶手段に記憶されたスケジュール情報の中から所望の日付のページを指定できるように構成しているのに対して、第１の引用例に記載されている発明では、サーチ用のＳＣＨ釦を押下すると、記憶手段に記憶されたスケジュール情報の中から順次日付情報を読み出すように構成している点。
▲２▼本願発明では、電源投入を、電源スイッチを操作しなくとも、所望の日付に対応したページを指定するための特定の操作釦を操作することで電源を自動的に投入し、それに続けて、上記特定の操作釦の押下に応じた日付のページを表示するように構成しているのに対して、引用例に記載されている発明では、電源投入は、電源スイッチのオン操作で行っており、この電源投入後は電源遮断前の処理プログラムが起動され、電源遮断前の表示状態となる点。
４．相違点についての判断
　上記相違点▲１▼について検討すると、上記第２の引用例に記載されるように、特定のキースイッチとスケジュールの特定の日付の読み出しとを対応付けておき、該特定のキースイッチが押下されると該特定のキースイッチに対応付けられた日付けのスケジュールを表示することはスケジュール管理装置において従来周知の事項であるので、第１の引用例に記載されているサーチ用のＳＣＨ釦に代えて、スケジュールの特定の日付と対応付けられた特定のキースイッチを設け、該特定のキースイッチが押下されると該特定のキースイッチに対応付けられた日付けのスケジュールを表示するようにして本願発明のように構成することは当業者が容易に想到し得る程度のものと認められる。
　次に、上記相違点▲２▼について検討すると、上記第３の引用例に記載されているように、電源投入に際して、電源スイッチを操作しなくとも、データ入力用の複数のキースイッチの内のいずれかのキースイッチが操作された場合に、電源を自動投入し、それに続けて、該押下されたキー操作に基づく演算処理を実行することは従来周知の技術事項であるから、第１の引用例に記載されているＳＣＨキーが押下されると電源を自動投入し、それに続けて該ＳＣＨキーの押下した状態の表示画面を得るようにして本願発明のように構成することは当業者が容易に想到し得る程度のものと認められる。
　そして、本願発明の奏し得る効果は、上記第１〜第３の刊行物の記載から容易に予測できる程度のものと認められる。
６．むすび
　以上のとおりであるから、本願発明は第１〜第３の引用例に記載された発明に基づいて当業者が容易に想到し得たものと認められるので、特許法第２９条第２項の規定に該当し、特許を受けることができない。
　よって、結論のとおり審決する。